(57)【要約】【課題】混雑時においても、優先端末による発信処理や緊急呼の発信処理を成功させる確率を向上させる。【解決手段】本発明に係る移動局ＵＥは、ＤＲＸ状態である場合に行われる上り信号を送信するためのＲＡ手順において、Ｃｏｎｔｅｎｔｉｏｎ-ｂａｓｅｄ方式で、「ＲＡ  Ｐｒｅａｍｂｌｅ」を送信するように構成されているＲＡ手順実行部１３と「Ｃｏｎｔｅｎｔｉｏｎ-ｂａｓｅｄ  ＲＡ  Ｐｒｅａｍｂｌｅ」の送信に対して、ＡＣＢを行うように構成されているアクセス制御部１２とを具備する。【選択図】図３
2013258665.tif 000002
【特許請求の範囲】
【請求項１】
移動局であって、
間欠受信状態である場合に行われる上り信号を送信するためのランダムアクセス手順において、衝突方式で、ランダムアクセスプリアンブルを送信するように構成されているランダムアクセス手順実行部と、
前記ランダムアクセスプリアンブルの送信に対して、アクセス規制を行うように構成されているアクセス制御部とを具備することを特徴とする移動局。
【請求項２】
前記ランダムアクセス手順実行部は、前記ランダムアクセスプリアンブルの送信を規制した後、所定期間の間、ランダムアクセス手順を実行しないように構成されていることを特徴とする請求項１に記載の移動局。
【請求項３】
前記ランダムアクセス手順実行部は、前記ランダムアクセスプリアンブルの送信を規制した後、所定期間の間、無線基地局によって送信されたスケジューリング要求信号をキャンセルするように構成されていることを特徴とする請求項１に記載の移動局。
【請求項４】
前記アクセス制御部は、緊急呼又は優先呼用のランダムアクセスプリアンブルの送信を規制せず、その他の呼用のランダムアクセスプリアンブルの送信に対して、前記アクセス規制を行うように構成されていることを特徴とする請求項１に記載の移動局。
【請求項５】
前記アクセス制御部は、ＲＲＣ（Ｒａｄｉｏ  Ｒｅｓｏｕｒｃｅ  Ｃｏｎｔｒｏｌ）レイヤにおいて、前記アクセス規制を行うように構成されており、
前記ランダムアクセス手順実行部は、ＭＡＣ（Ｍｅｄｉａ  Ａｃｃｅｓｓ  Ｃｏｎｔｒｏｌ）レイヤにおいて、前記ランダムアクセスプリアンブルの送信を規制した後、所定期間の間、ランダムアクセス手順を実行しないように構成されていることを特徴とする請求項２に記載の移動局。
【請求項６】
前記アクセス制御部は、ＲＲＣ（Ｒａｄｉｏ  Ｒｅｓｏｕｒｃｅ  Ｃｏｎｔｒｏｌ）レイヤにおいて、前記アクセス規制を行うように構成されており、
前記ランダムアクセス手順実行部は、ＭＡＣ（Ｍｅｄｉａ  Ａｃｃｅｓｓ  Ｃｏｎｔｒｏｌ）レイヤにおいて、前記ランダムアクセスプリアンブルの送信を規制した後、所定期間の間、無線基地局によって送信されたスケジューリング要求信号をキャンセルするように構成されていることを特徴とする請求項３に記載の移動局。
【発明の詳細な説明】
【技術分野】
【０００１】
本発明は、移動局に関する。
【背景技術】
【０００２】
ＬＴＥ（Ｌｏｎｇ  Ｔｅｒｍ  Ｅｖｏｌｕｔｉｏｎ）方式の移動通信システムでは、ＡＣＢ（Ａｃｃｅｓｓ  Ｃｌａｓｓ  Ｂａｒｒｉｎｇ）のメカニズムを用いて、ＲＲＣ_ＩＤＬＥ状態（アイドル状態）の移動局ＵＥによって発信処理（位置登録処理を含む。以下、同様）に関する信号、例えば、位置登録処理用シグナリング（ＭＯ-ｓｉｇｎａｌｌｉｎｇ）やＵ-ｐｌａｎｅ発信処理用シグナリング（ＭＯ-ｄａｔａ）を送信するための「ＲＡ（Ｒａｎｄｏｍ  Ａｃｃｅｓｓ）  Ｒｅｑｕｅｓｔ」の送信を規制することができる。
【先行技術文献】
【非特許文献】
【０００３】
【非特許文献１】３ＧＰＰ  ＴＳ３６.３００
【非特許文献２】３ＧＰＰ  ＴＳ３６.２１１
【非特許文献３】３ＧＰＰ  ＴＳ３６.２１３
【非特許文献４】３ＧＰＰ  ＴＳ３６.３２１
【非特許文献５】３ＧＰＰ  ＴＳ３６.３３１
【発明の概要】
【発明が解決しようとする課題】
【０００４】
しかしながら、従来のＬＴＥ方式の移動通信システムでは、ＲＲＣ_ＣＯＮＮＥＣＴＥＤ状態（接続状態）で且つＤＲＸ（Ｄｉｓｃｏｎｔｉｎｕｏｕｓ  Ｒｅｃｅｐｔｉｏｎ）状態（間欠受信状態）の移動局ＵＥによって「ＵＬ  ｄａｔａ  ａｒｒｉｖａｌ」を契機として行われるＲＡ手順における「ＲＡ  Ｐｒｅａｍｂｌｅ」の送信に対して、ＡＣＢを行うことができない、すなわち、かかる「ＲＡ  Ｐｒｅａｍｂｌｅ」の送信を規制することができない。
【０００５】
その結果、混雑時に、優先端末による発信処理や緊急呼の発信処理を行うためのＲＡ手順で送信される「ＲＡ  Ｐｒｅａｍｂｌｅ」が、上述の「ＲＡ  Ｐｒｅａｍｂｌｅ」に衝突し、かかるＲＡ手順が失敗したり、ＤＲＸ状態への復帰に伴うネットワークリソースの枯渇や処理輻輳により、かかる発信処理が遅延したり、かかる発信処理が失敗したりする可能性があるという問題点があった。
【０００６】
そこで、本発明は、上述の課題に鑑みてなされたものであり、混雑時においても、優先端末による発信処理や緊急呼の発信処理を成功させる確率を向上させることができる移動局を提供することを目的とする。
【課題を解決するための手段】
【０００７】
本発明の第１の特徴は、移動局であって、間欠受信状態である場合に行われる上り信号を送信するためのランダムアクセス手順において、衝突方式で、ランダムアクセスプリアンブルを送信するように構成されているランダムアクセス手順実行部と、前記ランダムアクセスプリアンブルの送信に対して、アクセス規制を行うように構成されているアクセス制御部とを具備することを要旨とする。
【発明の効果】
【０００８】
以上説明したように、本発明によれば、混雑時においても、優先端末による発信処理や緊急呼の発信処理を成功させる確率を向上させることができる移動局を提供することができる。
【図面の簡単な説明】
【０００９】
【図１】本発明の第１の実施形態に係る移動通信システムの全体構成図である。
【図２】本発明の第１の実施形態に係る移動局の機能ブロック図である。
【図３】本発明の第１の実施形態に係る移動局の動作を説明するためのフローチャートである。
【図４】本発明の変更例１に係る移動通信システムの動作を説明するためのシーケンス図である。
【図５】本発明の変更例２に係る移動通信システムの動作を説明するためのシーケンス図である。
【図６】本発明の変更例３に係る移動通信システムの動作を説明するためのシーケンス図である。
【発明を実施するための形態】
【００１０】
（本発明の第１の実施形態に係る移動通信システム）
図１乃至図３を参照して、本発明の第１の実施形態に係る移動通信システムについて説明する。
【００１１】
本実施形態に係る移動通信システムは、ＬＴＥ方式をサポートするものであって、図１に示すように、無線基地局ｅＮＢと、移動局ＵＥとを具備している。
【００１２】
図２に示すように、移動局ＵＥは、受信部１１と、アクセス制御部１２と、ＲＡ手順実行部１３とを具備している。
【００１３】
受信部１１は、無線基地局ｅＮＢから、各種信号を受信するように構成されている。
【００１４】
例えば、受信部１１は、無線基地局ｅＮＢから、ランダムアクセスチャネルリソース、例えば、「ＲＡ  Ｐｒｅａｍｂｌｅ」を取得するように構成されている。
【００１５】
アクセス制御部１２は、移動局ＵＥからの発信処理に関連する信号の送信に対して、ＡＣＢ（アクセス規制）を行うように構成されている。
【００１６】
例えば、アクセス制御部１２は、ＲＲＣ_ＩＤＬＥ状態の移動局ＵＥが上り信号を送信するためのＲＡ手順における「ＲＡ  Ｐｒｅａｍｂｌｅ」の送信に加えて、ＲＲＣ_ＣＯＮＮＥＣＴＥＤ状態で且つＤＲＸ状態の移動局ＵＥが上り信号を送信するためのＲＡ手順における「ＲＡ  Ｐｒｅａｍｂｌｅ」の送信に対して、ＡＣＢを行うように構成されている。
【００１７】
また、アクセス制御部１２は、ネットワークが規制すべき呼のタイプ（ｃａｌｌ  ｔｙｐｅ）を報知している規制情報（ａｃ-ｂａｒｒｉｎｇ ｉｎｆｏ）に基づいて、ＲＡ手順における「ＲＡ  Ｐｒｅａｍｂｌｅ」の送信に対して、ＡＣＢを行うか否かについて決定するように構成されてもよい。
【００１８】
つまり、アクセス制御部１２は、ネットワークが規制すべき呼のタイプとして「ＭＯ-Ｄａｔａ」や「ＭＯ-Ｓｉｇｎａｌｉｎｇ」が報知されている場合、緊急呼用のＲＡ手順における「ＲＡ  Ｐｒｅａｍｂｌｅ」の送信を規制しないように構成されていてもよい。
【００１９】
アクセス制御部１２は、ネットワークが規制すべき移動局ＵＥのアクセスクラス（ＡＣ）を報知している規制情報（ａｃ-ｂａｒｒｉｎｇ ｉｎｆｏ）に基づいて、ＲＡ手順における「ＲＡ  Ｐｒｅａｍｂｌｅ」の送信に対して、ＡＣＢを行うか否かについて決定するように構成されてもよい。
【００２０】
例えば、アクセス制御部１２は、ＡＣ１１-１５の移動局ＵＥからの呼（優先呼）のためのＲＡ手順における「ＲＡ  Ｐｒｅａｍｂｌｅ」の送信を規制せず、その他のＡＣの移動局ＵＥからの呼（通常呼）のためのＲＡ手順における「ＲＡ  Ｐｒｅａｍｂｌｅ」の送信を規制するように構成されていてもよい。
【００２１】
ＲＡ手順実行部１３は、ＲＲＣ_ＣＯＮＮＥＣＴＥＤ状態で且つＤＲＸ状態の移動局ＵＥ或いはＲＲＣ_ＩＤＬＥ状態の移動局ＵＥが発信処理を行うためのＲＡ手順を行うように構成されている。
【００２２】
例えば、ＲＡ手順実行部１３は、ＲＲＣ_ＣＯＮＮＥＣＴＥＤ状態で且つＤＲＸ状態の移動局ＵＥが発信処理を行うためのＲＡ手順において、Ｃｏｎｔｅｎｔｉｏｎ-ｂａｓｅｄ方式（衝突方式）で、「ＲＡ  Ｐｒｅａｍｂｌｅ」を送信するように構成されている。
【００２３】
ここで、ＲＡ手順実行部１３は、「Ｄｅｄｉｃａｔｅｄ  ＲＡ  Ｐｒｅａｍｂｌｅ」又は「Ｃｏｍｍｏｎ  ＲＡ  Ｐｒｅａｍｂｌｅ」を用いて、かかる発信処理を行うためのＲＡ手順を行うように構成されている。
【００２４】
なお、ＲＡ手順実行部１３は、上述の「ＲＡ  Ｐｒｅａｍｂｌｅ」の送信を規制した後、所定期間の間、ＲＡ手順を実行しないように構成されていてもよい。
【００２５】
また、ＲＡ手順実行部１３は、上述の「ＲＡ  Ｐｒｅａｍｂｌｅ」の送信を規制した後、所定期間の間、無線基地局ｅＮＢによって送信された「Ｓｃｈｅｄｕｌｉｎｇ  Ｒｅｑｕｅｓｔ（スケジューリング要求信号）」をキャンセルするように構成されていてもよい。
【００２６】
ここで、ＲＡ手順実行部１３は、「Ｂａｃｋ  ｏｆｆ  Ｔｉｍｅｒ（乱数から導出される値）」に基づいて、かかる所定期間を計測するように構成されていてもよい。
【００２７】
以下、図３を参照して、本実施形態に係る移動局ＵＥの動作について説明する。
【００２８】
図３に示すように、ステップＳ１００において、移動局ＵＥは、緊急呼又は優先呼であるか否かについて判定する。「Ｎｏ」の場合、本動作は、ステップＳＳ１０１に進み、「Ｙｅｓ」の場合、本動作は、終了する。
【００２９】
ステップＳ１０１において、移動局ＵＥは、ＤＲＸ状態において、上り信号の送信を試みる際に、ＡＣＢによって、かかる上り信号を送信するためのＲＡ手順における「ＲＡ  Ｐｒｅａｍｂｌｅ」の送信を規制する。
【００３０】
ステップＳ１０２において、移動局ＵＥは、所定期間の間、ＲＡ手順を実行しない、或いは、無線基地局ｅＮＢによって送信された「Ｓｃｈｅｄｕｌｉｎｇ  Ｒｅｑｕｅｓｔ」をキャンセルする。
【００３１】
本実施形態に係る発明によれば、ＲＲＣ_ＣＯＮＮＥＣＴＥＤ状態で且つＤＲＸ状態の移動局ＵＥによって行われる発信処理を行うためのＲＡ手順における「ＲＡ  Ｐｒｅａｍｂｌｅ」の送信を規制することができるため、ＲＲＣ_ＣＯＮＮＥＣＴＥＤ状態で且つＤＲＸ状態の移動局ＵＥによる発信処理が多発する場合であっても、優先端末による発信処理や緊急呼の発信処理を成功させる確率を向上させることができる。
【００３２】
（変更例１）
以下、図４を参照して、本発明の変更例１に係る移動通信システムにおいて、上述の第１の実施形態に係る移動通信システムとの相違点に着目して説明する。
【００３３】
本変更例１に係る移動局ＵＥが、ＲＲＣ_ＣＯＮＮＥＣＴＥＤ状態（ＤＲＸ状態）である場合に、受信部１１は、ＲＲＣ（Ｒａｄｉｏ  Ｒｅｓｏｕｒｃｅ  Ｃｏｎｔｒｏｌ）レイヤにおいて、ネットワークにおいて報知されているＳＩＢ（Ｓｙｓｔｅｍ  Ｉｎｆｏｒｍａｔｉｏｎ  Ｂｌｏｃｋ）を介して、上述の規制情報（ａｃ-ｂａｒｒｉｎｇ  ｉｎｆｏ）を受信するように構成されている。
【００３４】
ここで、受信部１１は、ＲＲＣレイヤにおいて、ＳＩＢ２を介して、上述の規制情報（ａｃ-ｂａｒｒｉｎｇ  ｉｎｆｏ）を受信するように構成されていてもよいし、新たに規定されたＳＩＢを介して、上述の規制情報（ａｃ-ｂａｒｒｉｎｇ  ｉｎｆｏ）を受信するように構成されていてもよい。
【００３５】
また、本変更例１に係る移動局ＵＥが、ＲＲＣ_ＣＯＮＮＥＣＴＥＤ状態（ＤＲＸ状態）である場合に、受信部１１は、ＲＲＣレイヤにおいて、ページング周期（Ｐａｇｉｎｇ  Ｃｙｃｌｅ）の間に、必ずＳＩＢを１回受信するように構成されている。
【００３６】
アクセス制御部１２は、ＲＲＣレイヤにおいて、上述のアクセスクラス（ＡＣ）に基づいて、ＲＡ手順における「ＲＡ  Ｐｒｅａｍｂｌｅ」の送信に対して、ＡＣＢを行うか否かについて決定するように構成されてもよい。
【００３７】
なお、アクセス制御部１２は、ＲＲＣレイヤにおいて、ネットワークによって報知されているＳＩＢが更新される度に、かかる決定を行うように構成されている。
【００３８】
アクセス制御部１２は、ＲＲＣレイヤにおいて、ＲＡ手順における「ＲＡ  Ｐｒｅａｍｂｌｅ」の送信を規制すると決定した場合に、ＭＡＣ（Ｍｅｄｉａ  Ａｃｃｅｓｓ  Ｃｏｎｔｒｏｌ）レイヤに対して、ＲＡ手順における「ＲＡ  Ｐｒｅａｍｂｌｅ」の送信を規制すると決定した旨を示す「ｂａｒｒｅｄ」及び「Ｗａｉｔ  Ｔｉｍｅ  ｉｎｄｉｃａｔｉｏｎ」を送信するように構成されていてもよい。
【００３９】
アクセス制御部１２は、ＲＲＣレイヤにおいて、ＲＡ手順における「ＲＡ  Ｐｒｅａｍｂｌｅ」の送信を規制すると決定した場合に、ＭＡＣレイヤに対して、「Ｗａｉｔ  Ｔｉｍｅ  ｉｎｄｉｃａｔｉｏｎ」のみを送信するように構成されていてもよい。
【００４０】
ここで、「Ｗａｉｔ  Ｔｉｍｅ  ｉｎｄｉｃａｔｉｏｎ」には、上述の所定期間を示す「ｗａｉｔ  ｔｉｍｅ」や、ＲＡ手順における「ＲＡ  Ｐｒｅａｍｂｌｅ」の送信を規制すると決定した旨を示す「ｂａｒｒｅｄ」等が含まれている。
【００４１】
ＲＡ手順実行部１３は、ＭＡＣレイヤにおいて、上述の「ｗａｉｔ  ｔｉｍｅ」及び「ｂａｒｒｅｄ」を通知する「Ｗａｉｔ  Ｔｉｍｅ  ｉｎｄｉｃａｔｉｏｎ」が受信された場合に、所定期間の間、ＲＡ手順を実行しないように構成されていてもよい。
【００４２】
或いは、ＲＡ手順実行部１３は、ＭＡＣレイヤにおいて、上述の「ｗａｉｔ  ｔｉｍｅ」及び「ｂａｒｒｅｄ」を通知する「Ｗａｉｔ  Ｔｉｍｅ  ｉｎｄｉｃａｔｉｏｎ」が受信された場合に、所定期間の間、無線基地局ｅＮＢによって送信された「Ｓｃｈｅｄｕｌｉｎｇ  Ｒｅｑｕｅｓｔ」をキャンセルするように構成されていてもよい。
【００４３】
ここで、「Ｓｃｈｅｄｕｌｉｎｇ  Ｒｅｑｕｅｓｔ」がキャンセルされた場合、ＲＡ手順実行部１３は、かかる「Ｓｃｈｅｄｕｌｉｎｇ  Ｒｅｑｕｅｓｔ」に対応する「Ｓｃｈｅｄｕｌｉｎｇ  Ｒｅｑｕｅｓｔ  Ｃｏｕｎｔｅｒ」をインクリメントするように構成されていてもよい。
【００４４】
以下、図４を参照して、本変更例１に係る移動通信システムの動作について説明する。
【００４５】
図４に示すように、ステップＳ１００１において、無線基地局ｅＮＢは、ＲＲＣレイヤにおいて、ＳＩＢ２又は新たなＳＩＢを介して、上述の規制情報を報知する。
【００４６】
例えば、かかる規制情報としては、緊急呼用の規制情報（Ｂａｒｒｉｎｇ  ｉｎｆｏ  ｆｏｒ  Ｅｍｅｒｇｅｎｃｙ  ＵＥ）や、優先呼用の規制情報（Ｂａｒｒｉｎｇ  ｉｎｆｏ  ｆｏｒ  Ｓｐｅｃｉａｌ  ＡＣ  ＵＥ）や、通常呼用の規制情報（Ｂａｒｒｉｎｇ  ｉｎｆｏ  ｆｏｒ  Ｎｏｒｍａｌ  ＵＥ）等が含まれている。
【００４７】
ステップＳ１００２において、移動局ＵＥは、ＲＲＣレイヤにおいて、上述のＡＣに基づいて、ＲＡ手順における「ＲＡ  Ｐｒｅａｍｂｌｅ」の送信に対して、ＡＣＢを行うか否かについて決定する。
【００４８】
例えば、かかる移動局ＵＥが、優先端末以外の移動局ＵＥであって、ステップＳ１００３において、通常呼に係る「ＲＡ  Ｐｒｅａｍｂｌｅ」の送信を規制すると決定された場合、ステップＳ１００４において、移動局ＵＥは、ＲＲＣレイヤにおいて、ＭＡＣレイヤに対して、上述の「ｗａｉｔ  ｔｉｍｅ」及び「ｂａｒｒｅｄ」を通知する「Ｗａｉｔ  Ｔｉｍｅ  ｉｎｄｉｃａｔｉｏｎ」を送信する。
【００４９】
ステップＳ１００５において、移動局ＵＥは、ＭＡＣレイヤにおいて、所定期間の間、ＲＡ手順を実行しない、或いは、無線基地局ｅＮＢによって送信された「Ｓｃｈｅｄｕｌｉｎｇ  Ｒｅｑｕｅｓｔ」をキャンセルする。
【００５０】
ここで、「Ｓｃｈｅｄｕｌｉｎｇ  Ｒｅｑｕｅｓｔ」がキャンセルされた場合、移動局ＵＥは、かかる「Ｓｃｈｅｄｕｌｉｎｇ  Ｒｅｑｕｅｓｔ」に対応する「Ｓｃｈｅｄｕｌｉｎｇ  Ｒｅｑｕｅｓｔ  Ｃｏｕｎｔｅｒ」をインクリメントしてもよい。
【００５１】
（変更例２）
以下、図５を参照して、本発明の変更例２に係る移動通信システムにおいて、上述の第１の実施形態及び変更例１に係る移動通信システムとの相違点に着目して説明する。
【００５２】
本変更例２に係る移動局ＵＥが、ＲＲＣ_ＣＯＮＮＥＣＴＥＤ状態（ＤＲＸ状態）である場合に、受信部１１は、ＲＲＣレイヤにおいて、ネットワークにおいて報知されているＳＩＢを介して、上述の規制情報（ａｃ-ｂａｒｒｉｎｇ  ｉｎｆｏ）を受信するように構成されている。
【００５３】
受信部１１は、かかる規制情報として、「Ｂａｒｒｉｎｇ  ｉｎｆｏ  ｆｏｒ  ｅａｃｈ  ＡＣ」に加えて、「Ｂａｒｒｉｎｇ  ｉｎｆｏ  ｐｅｒ  ｃａｌｌ  ｔｙｐｅ」を受信するように構成されている。
【００５４】
ここで、「Ｂａｒｒｉｎｇ  ｉｎｆｏ  ｆｏｒ  ｅａｃｈ  ＡＣ」には、緊急呼用の規制情報（Ｂａｒｒｉｎｇ  ｉｎｆｏ  ｆｏｒ  Ｅｍｅｒｇｅｎｃｙ  ＵＥ）や、優先呼用の規制情報（Ｂａｒｒｉｎｇ  ｉｎｆｏ  ｆｏｒ  Ｓｐｅｃｉａｌ  ＡＣ  ＵＥ）や、通常呼（Ｂａｒｒｉｎｇ  ｉｎｆｏ  ｆｏｒ  Ｎｏｒｍａｌ  ＵＥ）等が含まれる。
【００５５】
また、「Ｂａｒｒｉｎｇ  ｉｎｆｏ  ｐｅｒ  ｃａｌｌ  ｔｙｐｅ」には、「Ｐａｃｋｅｔ」や「Ｖｏｉｃｅ」等といった呼のタイプごとの規制情報が含まれる。
【００５６】
なお、かかる呼のタイプは、下りリンクにおける「ＬＣＰ（Ｌｏｇｉｃａｌ  Ｃｈａｎｎｅｌ  Ｐｒｉｏｒｉｔｙ）」及び「ＬＣＧ（Ｌｏｇｉｃａｌ  Ｃｈａｎｎｅｌ  Ｇｒｏｕｐ）」によって規定されるものとする。
【００５７】
アクセス制御部１２は、ＲＲＣレイヤにおいて、ＲＡ手順における「ＲＡ  Ｐｒｅａｍｂｌｅ」の送信を規制すると決定した場合に、ＭＡＣレイヤに対して、「Ｗａｉｔ  Ｔｉｍｅ  ｉｎｄｉｃａｔｉｏｎ」を送信するように構成されている。
【００５８】
ここで、「Ｗａｉｔ  Ｔｉｍｅ  ｉｎｄｉｃａｔｉｏｎ」には、上述の「ｗａｉｔ  ｔｉｍｅ」や「ｂａｒｒｅｄ」に加えて、規制対象の呼のタイプを規定する「ＬＣＰ」及び「ＬＣＧ」等が含まれている。
【００５９】
以下、図５を参照して、本変更例２に係る移動通信システムの動作について説明する。
【００６０】
図５に示すように、ステップＳ２００１において、無線基地局ｅＮＢは、ＲＲＣレイヤにおいて、ＳＩＢ２又は新たなＳＩＢを介して、上述の規制情報を報知する。
【００６１】
例えば、かかる規制情報としては、上述の「Ｂａｒｒｉｎｇ  ｉｎｆｏ  ｆｏｒ  ｅａｃｈ  ＡＣ」及び「Ｂａｒｒｉｎｇ  ｉｎｆｏ  ｐｅｒ  ｃａｌｌ  ｔｙｐｅ」等が含まれている。
【００６２】
ステップＳ２００２において、移動局ＵＥは、ＲＲＣレイヤにおいて、上述のＡＣに基づいて、ＲＡ手順における「ＲＡ  Ｐｒｅａｍｂｌｅ」の送信に対して、ＡＣＢを行うか否かについて決定する。
【００６３】
例えば、かかる移動局ＵＥが、優先端末以外の移動局ＵＥであって、ステップＳ２００３において、通常呼に係る「ＲＡ  Ｐｒｅａｍｂｌｅ」の送信を規制すると決定された場合、ステップＳ２００４において、移動局ＵＥは、ＲＲＣレイヤにおいて、ＭＡＣレイヤに対して、上述の「ｗａｉｔ  ｔｉｍｅ」や「ｂａｒｒｅｄ」や「ＬＣＰ」や「ＬＣＧ」を通知する「Ｗａｉｔ  Ｔｉｍｅ  ｉｎｄｉｃａｔｉｏｎ」を送信する。
【００６４】
ステップＳ２００５において、移動局ＵＥは、ＭＡＣレイヤにおいて、レイヤ２のバッファに滞納しているデータ（送信対象のデータ）の「ＬＣＰ」及び「ＬＣＧ」が、「Ｗａｉｔ  Ｔｉｍｅ  ｉｎｄｉｃａｔｉｏｎ」によって通知された「ＬＣＰ」及び「ＬＣＧ」と一致する場合、所定期間の間、ＲＡ手順を実行しない、或いは、無線基地局ｅＮＢによって送信された「Ｓｃｈｅｄｕｌｉｎｇ  Ｒｅｑｕｅｓｔ」をキャンセルする。
【００６５】
（変更例３）
以下、図６を参照して、本発明の変更例３に係る移動通信システムにおいて、上述の第１の実施形態及び変更例１及び２に係る移動通信システムとの相違点に着目して説明する。
【００６６】
以下、図６を参照して、本変更例３に係る移動通信システムの動作について説明する。
【００６７】
図６に示すように、ステップＳ３００１において、無線基地局ｅＮＢは、ＲＲＣレイヤにおいて、ＳＩＢ２又は新たなＳＩＢを介して、上述の規制情報を報知する。
【００６８】
例えば、かかる規制情報としては、上述の「Ｂａｒｒｉｎｇ  ｉｎｆｏ  ｆｏｒ  ｅａｃｈ  ＡＣ」及び「Ｂａｒｒｉｎｇ  ｉｎｆｏ  ｐｅｒ  ｃａｌｌ  ｔｙｐｅ」等が含まれている。
【００６９】
ステップＳ３００２において、移動局ＵＥは、ＲＲＣレイヤにおいて、上述のＡＣに基づいて、ＲＡ手順における「ＲＡ  Ｐｒｅａｍｂｌｅ」の送信に対して、ＡＣＢを行うか否かについて決定する。
【００７０】
例えば、かかる移動局ＵＥが、優先端末以外の移動局ＵＥであって、ステップＳ２００３において、通常呼に係る「ＲＡ  Ｐｒｅａｍｂｌｅ」の送信を規制すると決定された場合、移動局ＵＥは、ＲＲＣレイヤにおいて、規制対象の呼のタイプ（例えば、「Ｐａｃｋｅｔ」）に対応する「ＬＣＰ」及び「ＬＣＧ」を抽出する。
【００７１】
ステップＳ２００４において、移動局ＵＥは、ＲＲＣレイヤにおいて、ＭＡＣレイヤに対して、上述の「ｗａｉｔ  ｔｉｍｅ」や「ｂａｒｒｅｄ」や「ＬＣＰ」や「ＬＣＧ」を通知する「Ｗａｉｔ  Ｔｉｍｅ  ｉｎｄｉｃａｔｉｏｎ」を送信する。
【００７２】
ステップＳ２００５において、移動局ＵＥは、ＭＡＣレイヤにおいて、レイヤ２のバッファに滞納しているデータ（送信対象のデータ）の「ＬＣＰ」及び「ＬＣＧ」が、「Ｗａｉｔ  Ｔｉｍｅ  ｉｎｄｉｃａｔｉｏｎ」によって通知された「ＬＣＰ」及び「ＬＣＧ」と一致する場合、所定期間の間、ＲＡ手順を実行しない、或いは、無線基地局ｅＮＢによって送信された「Ｓｃｈｅｄｕｌｉｎｇ  Ｒｅｑｕｅｓｔ」をキャンセルする。
【００７３】
以上に述べた本実施形態の特徴は、以下のように表現されていてもよい。
【００７４】
本実施形態の第１の特徴は、移動局ＵＥであって、ＤＲＸ状態（間欠受信状態）である場合に行われる上り信号を送信するためのＲＡ手順（ランダムアクセス手順）において、Ｃｏｎｔｅｎｔｉｏｎ-ｂａｓｅｄ方式（衝突方式）で、「ＲＡ  Ｐｒｅａｍｂｌｅ（ランダムアクセスプリアンブル）」を送信するように構成されているＲＡ手順実行部（ランダムアクセス手順実行部）１３と、かかる「ＲＡ  Ｐｒｅａｍｂｌｅ」の送信に対して、ＡＣＢ（アクセス規制）を行うように構成されているアクセス制御部１２とを具備することを要旨とする。
【００７５】
本実施形態の第１の特徴において、ＲＡ手順実行部１３は、上述の「ＲＡ  Ｐｒｅａｍｂｌｅ」の送信を規制した後、所定期間の間、ＲＡ手順を実行しないように構成されていてもよい。
【００７６】
本実施形態の第１の特徴において、ＲＡ手順実行部１３は、上述の「ＲＡ  Ｐｒｅａｍｂｌｅ」の送信を規制した後、所定期間の間、無線基地局ｅＮＢによって送信された「Ｓｃｈｅｄｕｌｉｎｇ  Ｒｅｑｕｅｓｔ（スケジューリング要求信号）」をキャンセルするように構成されていてもよい。
【００７７】
本実施形態の第１の特徴において、アクセス制御部１２は、緊急呼又は優先呼用の「ＲＡ  Ｐｒｅａｍｂｌｅ」の送信を規制せず、その他の呼用の「ＲＡ  Ｐｒｅａｍｂｌｅ」の送信に対して、ＡＣＢを行うように構成されていてもよい。
【００７８】
本実施形態の第１の特徴において、アクセス制御部１２は、ＲＲＣレイヤにおいて、上述のＡＣＢを行うように構成されており、ＲＡ手順実行部１３は、ＭＡＣレイヤにおいて、上述の「ＲＡ  Ｐｒｅａｍｂｌｅ」の送信を規制した後、所定期間の間、ＲＡ手順を実行しないように構成されていてもよい。
【００７９】
本実施形態の第１の特徴において、アクセス制御部１２は、ＲＲＣレイヤにおいて、上述のＡＣＢを行うように構成されており、ＲＡ手順実行部１３は、ＭＡＣレイヤにおいて、上述の「ＲＡ  Ｐｒｅａｍｂｌｅ」の送信を規制した後、所定期間の間、「Ｓｃｈｅｄｕｌｉｎｇ  Ｒｅｑｕｅｓｔ」をキャンセルするように構成されていてもよい。
【００８０】
なお、上述の移動局ＵＥや無線基地局ｅＮＢの動作は、ハードウェアによって実施されてもよいし、プロセッサによって実行されるソフトウェアモジュールによって実施されてもよいし、両者の組み合わせによって実施されてもよい。
【００８１】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００８２】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ内に設けられていてもよい。また、かかる記憶媒体及びプロセッサは、ディスクリートコンポーネントとして移動局ＵＥや無線基地局ｅＮＢ内に設けられていてもよい。
【００８３】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００８４】
ＵＥ…移動局
ｅＮＢ…無線基地局
１１…受信部
１２…アクセス制御部
１３…ＲＡ手順実行部
【図１】
2013258665.tif 000003
【図２】
2013258665.tif 000004
【図３】
2013258665.tif 000005
【図４】
2013258665.tif 000006
【図５】
2013258665.tif 000007
【図６】
2013258665.tif 000008